(57)【要約】【課題】  温水パイプから均熱板への熱伝達を、より効率的に達成し得る床暖房パネルを提供する。【解決手段】  本発明の床暖房パネルでは、床材１の裏面２に開口した下向き溝部３を凹設し、前記下向き溝部３内に温水パイプ４を配置するとともに、床材１の最裏面に亙って均熱板５を被覆配置してなる床暖房パネルにおいて、床材１の裏面２と均熱板５との間に熱輻射層６を介在せしめるため、温水パイプ４から均熱板５への熱伝達をより効率的に達成され、その結果、床面の温度ムラが緩和されることとなる。【選択図】図１
2005337553.tif 000002
【特許請求の範囲】
【請求項１】
床材の裏面に開口した下向き溝部を凹設し、前記下向き溝部内に温水パイプを配置するとともに、前記床材の最裏面に亙って均熱板を被覆配置してなる床暖房パネルにおいて、前記床材の裏面と、前記均熱板との間に熱輻射層を介在せしめることを特徴とする床暖房パネル。
【請求項２】
前記温水パイプの上側面の全部または一部を被覆し、端部が前記均熱板と連結した第二の均熱板を有することを特徴とする請求項１記載の床暖房パネル。
【請求項３】
前記第二の均熱板の裏側面に密着した第二の熱輻射層を形成することを特徴とする請求項２記載の床暖房パネル。
【発明の詳細な説明】
【技術分野】
【０００１】
本発明は、床材内部に温水パイプを配置する床暖房パネルに関するものである。
【背景技術】
【０００２】
従来より、床材内部に温水パイプを配置する床暖房パネルについては、種々知られているが、その中に、例えば、特開平８−１２８６５８号公報に開示するように、床材の裏面に開口した下向き溝部を凹設し、この下向き溝部内に温水パイプを配置するとともに、前記床材の最裏面に亙って均熱板を被覆配置してなるものがある。かかる床暖房パネルは、典型的には、図３に例示するような構造を有するものであり、温水パイプ４上方の床材１が薄い等の理由から床面８の昇温性能に優れるという利点を有する反面、床面８の温度ムラが発生し易いという問題点もある。
【０００３】
すなわち、かかる問題点を改善するため、例えば、図３にも示すように、従来例に係る床暖房パネルＡ−０では、均熱板５を設ける一方、下向き溝部３の底面９と、温水パイプ４との間に空間部７を形成する、或いは、温水パイプ４と均熱板５を直接的に接触させる等の方策が採られているが、未だ、上記問題点を完全に解消するには至っていない。特に、ここで残された未解決課題としては、均熱板５として、通常、好んで使用されるアルミニウムの熱吸収率が小さいため、温水パイプ４の下側面１６からの放射熱の熱吸収効率が低く、均熱板５に温水パイプ４の下側面１６からの放射熱が効率よく伝達され難いことが挙げられる。
【特許文献１】特開平８−１２８６５８号公報
【発明の開示】
【発明が解決しようとする課題】
【０００４】
本発明は、上記背景技術に鑑みて発明されたものであり、その課題は、温水パイプから均熱板への熱伝達を、より効率的に達成し得る床暖房パネルを提供することである。
【課題を解決するための手段】
【０００５】
上記課題を解決するために、請求項１に係る発明の床暖房パネルにあっては、床材の裏面に開口した下向き溝部を凹設し、前記下向き溝部内に温水パイプを配置するとともに、前記床材の最裏面に亙って均熱板を被覆配置してなる床暖房パネルにおいて、前記床材の裏面と、前記均熱板との間に熱輻射層を介在せしめることを特徴とするものである。
【０００６】
請求項２に係る発明の床暖房パネルにあっては、請求項１記載の床暖房パネルにおいて、前記温水パイプの上側面の全部または一部を被覆し、端部が前記均熱板と連結した第二の均熱板を有することを特徴とするものである。
【０００７】
請求項３に係る発明の床暖房パネルにあっては、請求項２記載の床暖房パネルにおいて、前記第二の均熱板の裏側面に密着した第二の熱輻射層を形成することを特徴とするものである。
【発明の効果】
【０００８】
本発明の床暖房パネルでは、床材の裏面に開口した下向き溝部を凹設し、前記下向き溝部内に温水パイプを配置するとともに、前記床材の最裏面に亙って均熱板を被覆配置してなる床暖房パネルにおいて、前記床材の裏面と前記均熱板との間に熱輻射層を介在せしめるため、温水パイプから均熱板への熱伝達をより効率的に達成され、その結果、床面の温度ムラが緩和されることとなる。
【発明を実施するための最良の形態】
【０００９】
以下、本発明の実施形態を図面に基づき説明する。なお、本発明の床暖房パネルは、下記の実施形態にのみ限定されるものではなく、本発明の要旨を逸脱しない範囲内において種々変更を加え得ることは勿論である。
【００１０】
［第１の実施形態］
図１は、本発明の第１の実施形態である床暖房パネルの要部の概略を模式的に示すもので、（ａ）は、断面図、（ｂ）は、その拡大断面図である。すなわち、本実施形態の床暖房パネルＡ−１では、床材１の裏面２に開口した下向き溝部３を凹設し、この下向き溝部３内に温水パイプ４を配置するとともに、床材１の最裏面に亙って均熱板５を被覆配置してなるものである。ここでは、床材１は、厚さ１２ｍｍの合板製、温水パイプ４は、外径７．２ｍｍの架橋ポリエチレン製、均熱板５は、厚さ１５０μｍのアルミニウム箔で構成しており、また、上記図３に示した従来例に係る床暖房パネルＡ−０と同様に、下向き溝部３の底面９と、温水パイプ４との間に空間部７を設けて、上方の床材の局所的な加熱を回避して床面の温度ムラの緩和に寄与し得るようにしている。
【００１１】
さらに、本実施形態の床暖房パネルＡ−１では、前記床材１の裏面２と、均熱板５との間に熱輻射層６を介在せしめるものである。すなわち、放射熱吸収率が小さいアルミニウム製均熱板５が露出したままでは、温水パイプ４の下側面１６からの放射熱の均熱板５における熱吸収効率が低く、均熱板５に温水パイプ４の下側面１６からの放射熱が効率よく吸収され難いという上記問題点を放射熱吸収率が大きい上記熱輻射層６を介在させることにより解消し、放射熱の均熱板５における熱吸収効率の実質的な向上を図ろうとするものである。
【００１２】
具体的には、熱輻射層６の形成は、カーボン等の放射熱吸収率の高い素材をホットメルト系樹脂中に添加、分散せしめ、均熱板５の所定の面上に塗布する方法、
或いは、放射熱吸収率の高い樹脂素材、例えば、ＰＥＴ（ポリエチレン  テレフタレート）よりなるフィルム（厚さ：例えば、１０〜１５μｍ程度）を貼付する方法等により達成できる。
【００１３】
この結果、温水パイプ４から均熱板５への熱伝達が、より効率的に達成され、床面８での温度ムラが緩和されることとなるというものである。なお、熱輻射層６の材料構成、材質、厚み、形成方法等については、これらのみに限定されるものではなく、上記課題解決に寄与する限りにおいて何ら制約のないことはいうまでもない。
【００１４】
［第２の実施形態］
一方、図２は、上記と異なる本発明の第２の実施形態である床暖房パネルの要部の概略を模式的に示すもので、（ａ）は、断面図、（ｂ）は、その拡大断面図である。すなわち、本実施形態の床暖房パネルＡ−２では、上記第１の実施形態の床暖房パネルＡ−１と同様に、床材１の裏面２に開口した下向き溝部３を凹設し、この下向き溝部３内に温水パイプ４を配置するとともに、床材１の最裏面に亙って均熱板５を被覆配置してなるものであり、さらに、前記床材１の裏面２と、均熱板５との間に介在する熱輻射層６を有するものである。
【００１５】
これに加えて、本実施形態の床暖房パネルＡ−２は、第二の均熱板１０を具備し、これが、温水パイプ４の上側面１１の全部または一部を被覆し、この第二の均熱板１０の端部１２が均熱板５と連結するものである。この第二の均熱板１０も、均熱板５と同様に、熱放射効率の低い（すなわち、放射熱吸収率の低い）材質であるアルミニウム等により形成した場合、温水パイプ４の上側面１１から下向き溝部３の底面９及び側面１３への熱放射が抑制され、上方の床材の局所的な加熱を回避して床面の温度ムラの緩和に寄与し得ることとなる。他方、温水パイプ４の上側面１１が、熱伝導性に優れ、均熱効果の高いアルミニウム製の第二の均熱板１０で覆われており、しかも、この第二の均熱板１０の端部１２が均熱板５と連結しているので、温水パイプ４の上側面１１からの熱が効果的に均熱板５に伝導されることとなる。
【００１６】
さらに、本実施形態の床暖房パネルＡ−２では、上記第二の均熱板１０の裏側面１４に密着した第二の熱輻射層１５を形成している。この第二の熱輻射層１５についても、上記熱輻射層６と同様の材質で同様にして形成し得る。この結果、温水パイプ４の下側面１６からの放射熱を第二の熱輻射層１５の垂直部１７とその裏側の第二の均熱板１０を経由して、或いは、熱輻射層６を介して均熱板５に効率的に導き得ることとなる。この結果、温水パイプ４から均熱板５への熱伝達が、より一層効率的に達成され、床面８での温度ムラが、さらに効率的に緩和されることとなる。
【図面の簡単な説明】
【００１７】
【図１】本発明の第１の実施形態である床暖房パネルの要部の概略を模式的に示すもので、（ａ）は、断面図、（ｂ）は、その拡大断面図である。
【図２】本発明の第２の実施形態である床暖房パネルの要部の概略を模式的に示すもので、（ａ）は、断面図、（ｂ）は、その拡大断面図である。
【図３】従来例に係る床暖房パネルの要部の概略を模式的に示すもので、（ａ）は、断面図、（ｂ）は、その拡大断面図である。
【符号の説明】
【００１８】
１    床材
２    裏面（床材１）
３    下向き溝部（裏面２）
４    温水パイプ
５    均熱板
６    熱輻射層
７    空間部
８    床面
９    底面（下向き溝部３）
１０    第二の均熱板
１１    上側面（温水パイプ４）
１２    端部（第二の均熱板１０）
１３    側面（下向き溝部３）
１４    裏側面（第二の均熱板１０）
１５    第二の熱輻射層
１６    下側面（温水パイプ４）
１７    垂直部（第二の熱輻射層１５）
１８    ホットメルト
Ａ      床暖房パネル
Ａ−０  床暖房パネル（従来例）
Ａ−１  床暖房パネル
Ａ−２  床暖房パネル
【図１】
2005337553.tif 000003
【図２】
2005337553.tif 000004
【図３】
2005337553.tif 000005